(57)【要約】本発明は、エンジンシリンダ内において往復運動する少なくとも１個のピストンを有する内燃機関用潤滑装置に関する。該潤滑装置は、油の作動圧力による作用を受ける圧力検出手段（１８）を介して制御される調節可能なフィード圧を有する油ポンプ（１１）からなる。該圧力検出手段（１８）は、潤滑装置によって潤滑される内燃機関の軸受の１個に油圧的に接続される圧力出口（２１）を介して作用を受ける。
2006516044.tif 000002
【特許請求の範囲】
【請求項１】
エンジンシリンダ内において往復運動する少なくとも１個のピストンを有する内燃機関用潤滑装置であって、油の作動圧力による作用を受ける圧力検出手段（１８）を介して制御される調節可能なフィード圧を有する油ポンプ（１１）からなる潤滑装置において、前記圧力検出手段（１８）は前記潤滑装置により潤滑される内燃機関の軸受（２４）の１個に油圧的に接続される圧力出口（２１）を介して作用を受けるようになっていることを特徴とする潤滑装置。
【請求項２】
前記圧力出口（２１）は、エンジンのクランク軸受キャップ（２２）の１個に配置されるようになっていることを特徴とする請求項１に記載の潤滑装置。
【請求項３】
前記圧力出口（２１）は、前記軸の回転方向に対して、前記軸受に対する潤滑装置の前記送給ダクト（１４）の前記開口部から少なくとも約１６０°だけ前記方向に変位する点において、前記軸受に接続されることを特徴とする請求項１または２に記載の潤滑装置。
【請求項４】
前記油ポンプ（１１）は、前記クランク軸受キャップ（２２）に隣接して取り付けられることを特徴とする請求項２または３に記載の潤滑装置。
【請求項５】
前記圧力検出手段（１８）は、所定のレベルを超える圧力が記録されると、前記油ポンプの吐出し側（１４）を該ポンプの吸込み側（１２）に接続する通路を開くように構成されることを特徴とする請求項１乃至４のいずれかに記載の潤滑装置。
【請求項６】
前記圧力検出手段（１８）は、所定のレベルを超える圧力が記録されると、前記油ポンプの吐出し側（１４）を油受け（１３）に接続する通路を開くように構成されることを特徴とする請求項１乃至４のいずれかに記載の潤滑装置。
【発明の詳細な説明】
【技術分野】
【０００１】
本発明は、エンジンシリンダ内において往復運動する少なくとも１個のピストンを有する内燃機関用潤滑装置において、油の作動圧力による作用を受ける圧力検出手段を介して制御される調節可能なフィード圧を有する油ポンプからなる潤滑装置に関する。
【背景技術】
【０００２】
内燃機関の潤滑装置は、エンジンブロックとシリンダヘッドとを介して圧力下において油を循環させて、該内燃機関のカム軸、クランク軸、ピストンおよびその他の軸受等のさまざまな可動部分を潤滑し、かつ冷却する。エンジンの要求事項との関係で潤滑油ポンプの給油を変動させて動力損を減少させる機能を有した異なる態様の潤滑装置が提案されてきた。一般的には、ポンプの吐出し側において減圧弁が用いられており、この弁が、エンジンの消費部に対する圧力と流量とが十分であるときにポンプの吸込み側に余剰の油を戻すことを可能にする。
【０００３】
これらの周知の潤滑装置の１つの欠点は、温度変動の結果として潤滑油の粘度が変化することを考慮しないところにある。さらにまた、装置の圧力は、たとえば油冷却器およびオイルフィルタが不純物によって部分的に目詰まりすることによる圧力降下の変化によって影響される。これに関連して、前記の圧力調節の結果として、一部の消費部が潤滑または冷却のための十分な油圧を受けないことになりかねない。
【発明の開示】
【０００４】
したがって、本発明の１つの目的は、消費部の要求事項を考慮して装置の圧力を、圧力降下の変動によって影響されることなしに、調節する潤滑装置を創出することにある。
【０００５】
この目的のために、エンジンシリンダ内において往復運動する少なくとも１個のピストンを有する内燃機関用の潤滑装置において、油の作動圧力による作用を受ける圧力検出手段を介して制御される調節可能なフィード圧を有する油ポンプからなる、本発明にしたがった潤滑装置は、前記圧力検出手段が、潤滑装置により潤滑される内燃機関の軸受の１個に油圧的に接続される圧力出口を介して作用を受けることを特徴とする。潤滑装置をこうした設計にすることにより、装置の圧力の測定は、消費部において、圧力降下の変動により影響されることなしに行なわれる。
【０００６】
本発明の１つの例証的な実施例において、前記圧力出口は、クランク軸受キャップに配置されうる。
【０００７】
本発明のまた他の例証的な実施例において、前記圧力出口は、軸の回転方向に対して、前記軸受への潤滑装置の送給ダクトの開口部から少なくとも約１６０°だけ前記方向に変位した点において前記軸受に接続されうる。
【０００８】
本発明のさらに他の例証的な実施例において、油ポンプは、クランク軸受キャップに隣接して取り付けられうる。
【０００９】
本発明の有利な変形態様によれば、圧力検出手段は、所定のレベルを超える圧力が示されると、油ポンプの吐出し側を該ポンプの吸込み側に接続する通路を開くように構成される。これに変わる方法として、通路は、エンジンの油受けへと開かれてもよい。
【発明を実施するための最良の形態】
【００１０】
添付図面に示される例証的な実施例を参照して、以下に本発明をより詳細に説明する。
【００１１】
図１に、潤滑油を油受け１３から吸込み管路１２を介して引き込む油ポンプ１１からなる、内燃機関１０に用いられることを目的とする潤滑装置が示されている。このポンプの吐出し側は、圧力管路１４と油冷却器１５とフィルタハウジング１６とを介してエンジン１０に直列に接続される。前記圧力管路に接続される安全弁１７は、装置の圧力を監視し、かつ制限して、装置の圧力がある一定のレベルを超えて上昇することがないようにする機能を有する。
【００１２】
減圧弁１８は、ポンプ１１と並列に吸込み管路１２および圧力管路１４に接続されており、この弁は、ばね手段１９の作用に抗して変位しうるパイロットピストン２０を有する。このピストンは、潤滑装置内において圧力出口２１を介して装置の圧力による作用を受けて、圧力出口２１における圧力がある一定のレベルを超えると、前記パイロットピストンが圧力管路１４と吸込み管路１２との間における通路を開くようになる。これに関連して、余剰の圧力／流量は、ポンプの吸込み側に戻されうる。正常動作温度時において、圧力／流量が前記レベルを超えて、前記減圧弁が開くようになると、流量がポンプ内において調節されるため、油冷却器とフィルタとを横切る圧力降下が減少して、潤滑油が過冷却される危険性が低下する。より高い平均温度の油は、一般に、内燃機関における摩擦損失を減少させる。
【００１３】
図２に、減圧弁１８と装置の圧力を記録するための適切な測定点との間における接続部が示されている。この場合は、この点は、その他の同様のクランク軸受キャップとともに、クランク軸２３の支持体を形成するクランク軸受キャップ２２に配置される。この点は、クランク軸受の油みぞ２４を減圧弁のパイロットピストン２０に接続する圧力出口２１の開口部によって構成される。
【００１４】
図２にしたがった例証的な実施例において、圧力出口２１の開口部は、軸２３の回転方向（矢印２５）において、前記軸受に対する潤滑装置の送給ダクト１４の開口部から１８０°を若干上回る角度だけ変位する。クランク軸が回転すると、回転速度に比例する差圧が、ポンピング動作によって生じしめられる。したがって、油ポンプ１１は、エンジンの速度が増加すると、より高い圧力／流量を供給しうる。
【００１５】
油ポンプ１１は、適切にクランク軸受キャップ２２上に直接取り付けられ、これにより、圧力出口２１は、クランク軸受キャップを貫通して延在しうる。このようにすると、本発明にしたがった潤滑装置を費用効果の高い方法で達成することができる。
【００１６】
本発明は、前記の例証的な実施例に制限されると見なされるべきではなく、以下の特許請求の範囲内において、数多くのさらに他の変形態様および改変が考えられうる。たとえば、前記圧力出口２１は、エンジン内においてクランク軸受以外の位置に配置されうる。油ポンプは、クランク軸受キャップ上に配置されなくてもよい。
【図面の簡単な説明】
【００１７】
【図１】本発明にしたがった潤滑装置の線図である。
【図２】本発明にしたがった潤滑ダクトを有するクランク軸受の断面図である。
【図１】
2006516044.tif 000003
【図２】
2006516044.tif 000004
【手続補正書】
【提出日】平成16年6月8日(2004.6.8)
【手続補正１】
【補正対象書類名】特許請求の範囲
【補正対象項目名】全文
【補正方法】変更
【補正の内容】
【特許請求の範囲】
【請求項１】
エンジンシリンダ内において往復運動する少なくとも１個のピストンを有する内燃機関用潤滑装置であって、潤滑装置により潤滑される内燃機関の軸受（２４）の１個に油圧的に接続される圧力出口（２１）を介して油の作動圧力による作用を受ける圧力検出手段（１８）を介して制御される調節可能なフィード圧を有する油ポンプ（１１）からなる潤滑装置において、前記圧力出口（２１）は、エンジンのクランク軸受キャップ（２２）の１個に配置され、前記圧力出口（２１）の開口部は、軸（２３）の回転方向（２５）において、前記軸受に対する潤滑装置の送給ダクト（１４）の開口部から離反して変位して、前記軸の回転速度が前記軸受の油圧に影響しうるようになっていることを特徴とする潤滑装置。
【請求項２】
前記圧力出口（２１）は、前記軸の回転方向に対して、前記軸受に対する潤滑装置の前記送給ダクト（１４）の前記開口部から少なくとも約１６０°だけ前記方向に変位する点において、前記軸受に接続されることを特徴とする請求項１に記載の潤滑装置。
【請求項３】
前記油ポンプ（１１）は、前記クランク軸受キャップ（２２）に隣接して取り付けられることを特徴とする請求項２に記載の潤滑装置。
【請求項４】
前記圧力検出手段（１８）は、所定のレベルを超える圧力が記録されると、前記油ポンプの吐出し側（１４）を該ポンプの吸込み側（１２）に接続する通路を開くように構成されることを特徴とする請求項１乃至３のいずれかに記載の潤滑装置。
【請求項５】
前記圧力検出手段（１８）は、所定のレベルを超える圧力が記録されると、前記油ポンプの吐出し側（１４）を油受け（１３）に接続する通路を開くように構成されることを特徴とする請求項１乃至３のいずれかに記載の潤滑装置。
【国際調査報告】
2006516044.tif 000005
2006516044.tif 000006